(57)【要約】  本発明は、オンラインショッピング検索サービスを提供する方法及びシステムに係り、さらに詳しくは、商品登録者、前記商品登録者が登録する商品、及び前記登録された商品を販売しようとする販売者に関する情報を体系的に含むデータベースを構築し、前記データベースを用いてオンラインショッピング検索サービスと紐付けられた一連のプロセスを行わせるオンラインショッピング検索サービスの提供方法及びシステムに関する。
2007536615.tif 000002
【特許請求の範囲】
【請求項１】
オンラインショッピング検索サービスを提供する方法において、
商品登録者が登録した商品に関する識別情報または前記識別情報と紐付けられた商品情報についてのレコードを含む商品データベースを保持するステップ−前記識別情報は、前記商品登録者についての商品登録者識別子または前記商品に関する商品識別子を含む−と、
前記商品データベースを参照して、販売者に前記商品識別子を選択するためのユーザーインタフェースを提供するステップと、
前記販売者から前記商品識別子についての選択入力を受信するステップと、
前記販売者についての販売者識別子、前記販売者が登録した商品販売ＷｅｂページのＵＲＬ情報及び前記販売者から転送された費用情報を前記選択された商品識別子と紐付けて前記商品データベースに書き込むステップと、
ユーザーから検索クエリーを入力されるステップと、
前記商品データベースを参照して、前記検索クエリーに対応する商品情報または前記商品情報と紐付けられた商品販売ＷｅｂページのＵＲＬ情報を検索するステップと、
前記検索された商品情報と紐付けられた費用情報に基づいて、前記検索された商品情報または前記ＵＲＬ情報を並べ替えて検索結果一覧を生成するステップと、
前記生成された検索結果一覧を前記ユーザーに提供するステップと、を含むことを特徴とするオンラインショッピング検索サービスの提供方法。
【請求項２】
前記販売者から前記選択された商品識別子と紐付けられた商品の販売期間に関する情報を受信するステップをさらに含み、前記費用情報は、前記販売期間に基づいて決定されることを特徴とする請求項１に記載のオンラインショッピング検索サービスの提供方法。
【請求項３】
前記商品データベースを参照して、前記検索クエリーに対応する商品情報または前記商品情報と紐付けられた商品販売ＷｅｂページのＵＲＬ情報を検索する前記ステップは、第２の商品情報または前記第２の商品情報と紐付けられた商品販売Ｗｅｂページの第２のＵＲＬ情報を検索するステップを含み、
前記検索された商品情報または前記ＵＲＬ情報を並べ替えて検索結果一覧を生成する前記ステップは、前記検索された第２の商品情報または第２のＵＲＬ情報を並べ替えて第２の検索結果一覧を生成するステップを含み、
前記生成された検索結果一覧を前記ユーザーに提供する前記ステップは、前記生成された第２の検索結果一覧を前記ユーザーに提供されるＷｅｂページ上の所定の位置に露出させるように制御するステップを含むことを特徴とする請求項１に記載のオンラインショッピング検索サービスの提供方法。
【請求項４】
前記生成された検索結果一覧を前記ユーザーに提供する前記ステップは、前記生成された第２の検索結果一覧に所定のディスプレイ情報を表示するステップをさらに含むことを特徴とする請求項３に記載のオンラインショッピング検索サービスの提供方法。
【請求項５】
前記商品データベースを参照して、前記検索クエリーに対応する商品情報または前記商品情報と紐付けられた商品販売ＷｅｂページのＵＲＬ情報を検索する前記ステップは、第２の商品情報または前記第２の商品情報と紐付けられた商品販売Ｗｅｂページの第２のＵＲＬ情報を検索するステップを含み、
前記生成された検索結果一覧を前記ユーザーに提供する前記ステップは、前記生成された検索結果一覧に含まれている特定の項目に所定のディスプレイ情報を表示するステップ−前記特定の項目は、前記検索された第２の商品情報または第２のＵＲＬ情報と紐付けられる−と、前記所定のディスプレイ情報が表示された検索結果一覧を前記ユーザーに提供するステップと、を含むことを特徴とする請求項１に記載のオンラインショッピング検索サービスの提供方法。
【請求項６】
前記商品情報または前記ＵＲＬ情報に関する第２のユーザーからの選択入力回数情報を含む第２のデータベースを保持するステップをさらに含み、
前記第２の商品情報及び前記第２のＵＲＬ情報は、前記選択入力回数情報が所定の数値以上となる商品情報及びＵＲＬ情報であることを特徴とする請求項３乃至５のいずれかに記載のオンラインショッピング検索サービスの提供方法。
【請求項７】
前記商品情報または前記ＵＲＬ情報の第２のユーザーに関する露出回数情報を含む第２のデータベースを保持するステップをさらに含み、
前記第２の商品情報及び前記第２のＵＲＬ情報は、前記露出回数情報が所定の数値以上となる商品情報及びＵＲＬ情報であることを特徴とする請求項３乃至５のいずれかに記載のオンラインショッピング検索サービスの提供方法。
【請求項８】
前記商品情報または前記ＵＲＬ情報に関する第２のユーザーからの選択入力回数情報及び前記商品情報または前記ＵＲＬ情報の前記第２のユーザーに関する露出回数情報を含む第２のデータベースを保持するステップをさらに含み、
前記第２の商品情報及び前記第２のＵＲＬ情報は、前記露出回数情報に関する前記選択入力回数情報が所定の数値以上となる商品情報及びＵＲＬ情報であることを特徴とする請求項３乃至５のいずれかに記載のオンラインショッピング検索サービスの提供方法。
【請求項９】
前記商品情報または前記ＵＲＬ情報に関する第２のユーザーからの選択入力回数情報及び前記商品情報と紐付けられた商品に関する商品の販売数量情報を含む第２のデータベースを保持するステップをさらに含み、
前記第２の商品情報及び前記第２のＵＲＬ情報は、前記選択入力回数情報に関する前記商品の販売数量情報が所定の数値以上となる商品情報及びＵＲＬ情報であることを特徴とする請求項３乃至５のいずれかに記載のオンラインショッピング検索サービスの提供方法。
【請求項１０】
前記第２の商品情報及び前記第２のＵＲＬ情報は、第２の販売者が販売する商品と紐付けられ、
前記第２の販売者は、所定の基準額以上の費用情報を転送した販売者であることを特徴とする請求項３乃至５のいずれかに記載のオンラインショッピング検索サービスの提供方法。
【請求項１１】
オンラインショッピング検索サービスを提供する方法において、
商品登録者が登録した商品に関する識別情報または前記識別情報と紐付けられた商品情報についてのレコードを含む商品データベースを保持するステップ−前記識別情報は、前記商品登録者についての商品登録者識別子または前記商品に関する商品識別子を含む−と、
前記商品データベースを参照して、販売者に前記商品識別子を選択するためのユーザーインタフェースを提供するステップと、
前記販売者から前記商品識別子についての選択入力を受信するステップと、
前記販売者についての販売者識別子または前記販売者が登録した商品販売ＷｅｂページのＵＲＬ情報を前記選択された商品識別子と紐付けて前記商品データベースに書き込むステップと、
前記商品情報または前記商品情報と紐付けられた商品販売ＷｅｂページのＵＲＬ情報に関する第１のユーザーからの選択入力回数情報を含む第２のデータベースを保持するステップと、
第２のユーザーから検索クエリーを入力されるステップと、
前記商品データベースを参照して、前記検索クエリーに対応する商品情報または前記商品情報と紐付けられた商品販売ＷｅｂページのＵＲＬ情報を検索するステップと、
前記第２のデータベースを参照して、前記選択入力回数情報に基づいて前記検索された商品情報または前記ＵＲＬ情報を並べ替えて検索結果一覧を生成するステップと、
前記生成された検索結果一覧を前記第２のユーザーに提供するステップと、を含むことを特徴とするオンラインショッピング検索サービスの提供方法。
【請求項１２】
前記選択入力回数情報は、所定の期間中に前記第１のユーザーから前記商品情報または前記商品情報と紐付けられた商品販売ＷｅｂページのＵＲＬ情報が選択入力された回数を計数して生成され、
前記検索結果一覧を生成する前記ステップは、前記第２のデータベースを参照して、前記検索された商品情報または前記ＵＲＬ情報のうち前記選択入力回数情報が所定の数値以上となる商品情報またはＵＲＬ情報のみを並べ替えて前記検索結果一覧を生成することを特徴とする請求項１１に記載のオンラインショッピング検索サービスの提供方法。
【請求項１３】
前記第２のデータベースを参照して、前記選択入力回数情報に基づいて前記商品登録者または前記販売者に関する課金情報を生成するステップをさらに含むことを特徴とする請求項１１に記載のオンラインショッピング検索サービスの提供方法。
【請求項１４】
オンラインショッピング検索サービスを提供する方法において、
商品登録者が登録した商品に関する識別情報または前記識別情報と紐付けられた商品情報についてのレコードを含む商品データベースを保持するステップ−前記識別情報は、前記商品登録者についての商品登録者識別子または前記商品に関する商品識別子を含む−と、
前記商品データベースを参照して、販売者に前記商品識別子を選択するためのユーザーインタフェースを提供するステップと、
前記販売者から前記商品識別子についての選択入力を受信するステップと、
前記販売者についての販売者識別子または前記販売者が登録した商品販売ＷｅｂページのＵＲＬ情報を前記選択された商品識別子と紐付けて前記商品データベースに書き込むステップと、
前記商品情報または前記商品情報と紐付けられた商品販売ＷｅｂページのＵＲＬ情報の第１のユーザーに関する露出回数情報を含む第２のデータベースを保持するステップと、
第２のユーザーから検索クエリーを入力されるステップと、
前記商品データベースを参照して、前記検索クエリーに対応する商品情報または前記商品情報と紐付けられた商品販売ＷｅｂページのＵＲＬ情報を検索するステップと、
前記第２のデータベースを参照して、前記露出回数情報に基づいて前記検索された商品情報または前記ＵＲＬ情報を並べ替えて検索結果一覧を生成するステップと、
前記生成された検索結果一覧を前記第２のユーザーに提供するステップと、を含むことを特徴とするオンラインショッピング検索サービスの提供方法。
【請求項１５】
前記露出回数情報は、所定の期間中に前記第１のユーザーに前記商品情報または前記商品情報と紐付けられた商品販売ＷｅｂページのＵＲＬ情報が露出された回数を計数して生成され、
前記検索結果一覧を生成する前記ステップは、前記第２のデータベースを参照して、前記検索された商品情報または前記ＵＲＬ情報のうち前記露出回数情報が所定の数値以上となる商品情報またはＵＲＬ情報のみを並べ替えて前記検索結果一覧を生成することを特徴とする請求項１４に記載のオンラインショッピング検索サービスの提供方法。
【請求項１６】
前記第２のデータベースを参照して、前記露出回数情報に基づいて前記商品登録者または前記販売者に関する課金情報を生成するステップをさらに含むことを特徴とする請求項１４に記載のオンラインショッピング検索サービスの提供方法。
【請求項１７】
オンラインショッピング検索サービスを提供する方法において、
商品登録者が登録した商品に関する識別情報または前記識別情報と紐付けられた商品情報についてのレコードを含む商品データベースを保持するステップ−前記識別情報は、前記商品登録者についての商品登録者識別子または前記商品に関する商品識別子を含む−と、
前記商品データベースを参照して、販売者に前記商品識別子を選択するためのユーザーインタフェースを提供するステップと、
前記販売者から前記商品識別子についての選択入力を受信するステップと、
前記販売者についての販売者識別子または前記販売者が登録した商品販売ＷｅｂページのＵＲＬ情報を前記選択された商品識別子と紐付けて前記商品データベースに書き込むステップと、
前記販売者識別子または前記販売者が登録した商品販売ＷｅｂページのＵＲＬ情報と紐付けて前記商品に関する商品の販売数量情報を含む第２のデータベースを保持するステップと、
ユーザーから検索クエリーを入力されるステップと、
前記商品データベースを参照して前記検索クエリーに対応する商品情報または前記商品情報と紐付けられた商品販売ＷｅｂページのＵＲＬ情報を検索するステップと、
前記第２のデータベースを参照して、前記商品の販売数量情報に基づいて前記検索された商品情報または前記ＵＲＬ情報を並べ替えて検索結果一覧を生成するステップと、
前記生成された検索結果一覧を前記ユーザーに提供するステップと、を含むことを特徴とするオンラインショッピング検索サービスの提供方法。
【請求項１８】
前記販売者のショッピングモールサイトを提供するショッピングモールサーバーに前記選択された商品識別子と紐付けられた識別情報及び商品情報を転送するステップと、
前記転送された識別情報及び商品情報を用いて、前記選択された商品識別子と紐付けられた商品についての商品販売Ｗｅｂページを前記ショッピングモールサイトと紐付けて生成するステップと、
前記商品販売Ｗｅｂページに接続した購買者により前記商品についての決済がなされた場合、前記ショッピングモールサーバーから前記決済に関する決済情報を受信するステップ−前記決済情報は、前記識別情報及び前記商品の購買数に関する購買情報を含む−と、をさらに含み、
前記商品の販売数量情報は、前記決済情報に含まれている前記識別情報及び前記購買情報に基づいて生成されることを特徴とする請求項１７に記載のオンラインショッピング検索サービスの提供方法。
【請求項１９】
前記商品情報は、前記商品が属するカテゴリ、前記商品の画像データ、前記商品の値段、前記商品の真偽、前記商品についてのアフターサービスの可否、前記商品のサイズまたは色、前記商品の販売量、前記商品の配送方法、及び前記商品の登録期間に関する情報のうちいずれか１以上の情報をさらに含むことを特徴とする請求項１、１１、１４及び１７のうちいずれかに記載のオンラインショッピング検索サービスの提供方法。
【請求項２０】
商品を特定するための商品登録原簿を商品別に書き込む商品登録原簿データベースを保持するステップをさらに含み、
商品登録者が登録した商品に関する識別情報または前記識別情報と紐付けられた商品情報についてのレコードを含む商品データベースを保持する前記ステップは、
前記商品登録者に対して、前記商品登録原簿データベースに書き込まれている前記商品登録原簿を選択するためのユーザーインタフェースを提供するステップと、
前記商品登録者から商品登録原簿の選択または商品情報を入力されるステップと、
前記選択された商品登録原簿及び前記入力された商品情報を用いて商品識別子を生成するステップと、
前記商品登録者についての商品登録者識別子または前記商品識別子を含む識別情報を生成するステップと、
前記識別情報または前記入力された商品情報を含むレコードを前記商品データベースに書き込むステップと、を含むことを特徴とする請求項１、１１、１４及び１７のいずれかに記載のオンラインショッピング検索サービスの提供方法。
【請求項２１】
請求項１乃至５及び請求項１１乃至１８のうちいずれかに記載の方法を実行させるためのプログラムを書き込んだコンピュータ判読可能な記録媒体。
【請求項２２】
オンラインショッピング検索サービスを提供するシステムにおいて、
商品登録者識別子、商品識別子、または販売者識別子についてのフィールドを含むレコードを含む商品データベースを保持する第１のデータベース手段と、
前記商品識別子と紐付けられた商品情報、前記販売者識別子と紐付けられた商品販売ＷｅｂページのＵＲＬ情報及び費用情報を含む商品情報データベースを保持する第２のデータベース手段と、
前記商品識別子または商品情報を用いて、販売者に前記商品を選択するめのユーザーインタフェースを提供するするユーザーインタフェース提供手段と、
前記販売者により選択された商品と紐付けられた商品識別子と紐付けて前記販売者についての販売者識別子を第１のデータベース手段に書き込み、前記販売者識別子と紐付けられた商品販売ＷｅｂページのＵＲＬ情報及び前記販売者から転送された費用情報を第２のデータベース手段に書き込むデータベース管理手段と、
ユーザーから検索クエリーを入力される検索クエリー入力手段と、
第２のデータベース手段を参照して、前記検索クエリーに対応する商品情報または前記商品情報と紐付けられた商品販売ＷｅｂページのＵＲＬ情報を検索する検索手段と、
第２のデータベース手段を参照して、前記費用情報に基づいて前記検索された商品情報または前記ＵＲＬ情報を並べ替えて検索結果一覧を生成する検索結果一覧生成手段と、
前記生成された検索結果一覧をユーザーの端末を通じて前記ユーザーに提供する検索結果一覧提供手段と、を含むことを特徴とする請求項１、１１、１４及び１７のいずれかに記載のオンラインショッピング検索サービスの提供システム。
【発明の詳細な説明】
【技術分野】
【０００１】
本発明は、オンラインショッピング検索サービスを提供する方法及びシステムに係り、さらに詳しくは、商品登録者、前記商品登録者が登録する商品、及び前記登録された商品を販売しようとする販売者に関する情報を体系的に含むデータベースを構築し、前記データベースを用いてオンラインショッピング検索サービスと関連する一連のプロセスを行わせるオンラインショッピング検索サービスの提供方法及びシステムに関する。
【背景技術】
【０００２】
インターネットが広く普及されるに伴い、商品販売者は、オンラインショッピングモールというオンライン上の仮想の市場を構築することになり、インターネットユーザーにとっても、購入したい特定の商品や財貨を販売する代理店などを直接的に訪問することなく、前記仮想の市場を通じて物品を購買することが可能になっている。かかるオンラインショッピングモールの登場のお陰で、ユーザーの直接的な訪問や予約購買などの直接購買時にかかる時間と費用を節減可能になっている。このようなオンラインショッピングモールの長所により、多数のユーザーがオンラインショッピングモールを利用することになり、これとあいまって、種々のオンラインショッピングモールが登場することになっている。
【０００３】
しかしながら、従来のインターネットショッピングモールは、商品供給者から商品を供給されて前記物品をインターネット上において購買者に直接的に販売する形で運営されていた。ところが、このようなタイプのインターネットショッピングモールにおいては、商品供給者は、多数のインターネットショッピングモールに個別的に接触して前記インターネットショッピングモールに入店するための努力を注ぐ必要があり、前記インターネットショッピングモールの運営者にとっても、前記インターネットショッピングモールにおいて販売する商品を決定し、商品を供給する商品供給者と契約を結ぶプロセスが一元化されておらず、煩雑であるという問題があった。
【０００４】
このような問題を解決するために、韓国特許出願第１０−２００１−００７４１６４号（公開番号特２００３−００４３１４４号）は、商品を供給する商品供給者と商品を販売するインターネットショッピングモールを仲介可能なマーチャンダイジングシステムについて開示している。
【０００５】
前記マーチャンダイジングシステムは、商品情報をインターネットを通じて供給する多数の供給者サーバー、前記商品情報をインターネットを通じて販売チャンネルが設けられているＷｅｂページ上に展示する多数のショッピングモールサーバー、前記多数の供給者サーバーと前記多数のショッピングモールサーバーとの間においてインターネットを通じて構築されて供給者サーバーとショッピングモールサーバーをインターネットに接続する「マーチャンダイジングサーバー」、前記多数のショッピングモールサーバーに展示されている商品情報に対応する商品を購買するために、ショッピングモールサーバーに購買及び決済情報を転送する購買者端末、及び前記購買者端末、ショッピングモールサーバー、マーチャンダイジングサーバー及び供給者サーバーとインターネットを通じて接続されて決済プロセスを行う金融サーバーにより構成されていることを特徴とする。
【０００６】
しかしながら、前記マーチャンダイジングシステムは、商品供給者とインターネットショッピングモールの運営者が互いに接触可能なオンライン上の場所を提供することはできるが、下記のような従来の技術の問題点をそのまま抱いていた。
【０００７】
すなわち、前記マーチャンダイジングシステムを利用する場合にも、ｉ）前記インターネットショッピングモールの運営者は、前記マーチャンダイジングサーバーから与えられた各商品情報を一々検討して、入店を申請して承認を受けなければならない点、ｉｉ）多数のショッピングモールサーバーと多数の供給者サーバーがマーチャンダイジングサーバーに連携されているにも関わらず、商品を購買しようとするユーザーがマーチャンダイジングサーバーに連携されているショッピングモールサーバーが販売する各商品についての統合検索サービスを提供されることができない点、ｉｉｉ）多数の商品供給者が登録した１以上の種類の商品についての販売現況、また、前記マーチャンダイジングサーバーを通じて入店したショッピングモールサーバーにおける商品の販売現況などについての統計サービスを商品供給者またはインターネットショッピングモールの運営者などに提供することができない点、ｉｖ）各商品供給者が提供する商品情報を前記供給商品データベースに書き込まれるデータ形式に加工する過程を前記マーチャンダイジングサーバーを管理する管理者側において一々行わなければならない点、ｖ）インターネットショッピングモールの運営者が販売しようとする商品を選択した場合であっても、前記商品についての商品販売ページを製作するなどの過程は前記運営者が行わなければならない点など、従来のインターネットショッピングモールサービスにおける問題は依然として残っている。
【０００８】
また、従来の技術によれば、オンラインショッピング検索サービスサーバーが運営するウェブサイトに入店したショッピングモール運営者に固定された費用、または、前記ショッピングモール運営者が登録した商品の数に基づいて課金を行う方式を取っていた。このため、前記ショッピングモール運営者は、登録した商品がユーザーに実際に露出されているかどうか、露出されている場合、その露出された回数、またはユーザーから前記登録した商品が選択された回数（例えば、クリックされた回数）などとは無関係に費用を支払うことになる。このような課金方式による場合、同じ費用を支払っても、入店効果が得られなくなるショッピングモール運営者と入店効果が大いに得られるショッピングモール運営者との間におけるバラツキが深刻化され、オンラインショッピング検索サービス運営者にとっても、入店効果の高いショッピングモール運営者に高い課金を行うことができず、収益を大幅に上げられないという問題点があった。
【０００９】
そこで、多数の商品登録者が登録した商品に対して規則的で且つ統合的なデータベースを構築しており、オンラインショッピング検索サービスサーバーに接続したユーザーに多数の商品登録者が登録した、または多数の販売者が販売している商品についての統合的な検索サービスを手軽で且つ迅速に提供することができ、しかも、合理的な課金方式を取るといった新たな技術の出現が望まれている。
【発明の開示】
【発明が解決しようとする課題】
【００１０】
本発明は、上記の事情に鑑みてなされたものであり、その目的は、ｉ）商品に関する情報を体系的に入力可能なユーザーインタフェースを商品登録者に提供して商品登録過程を行わせることにより、商品データベースまたは商品情報データベースを自動的、体系的、リアルタイムにて構築し、ｉｉ）販売者が商品を選択した場合、前記販売者または前記商品と紐付けられた情報を前記商品データベースまたは前記商品情報データベースに自動的、体系的、リアルタイムにて反映可能にすることにより、オンラインショッピングモール内のあらゆる種類の商品に対して体系的で且つ詳細な検索サービスを提供する方法及びシステムを提供することにある
また、本発明によるオンラインショッピング検索サービスの提供方法及びシステムは、各オンラインショッピングモールにおいて販売される商品に関する様々な情報を一元化されたディレクトリ体系を用いて保存して管理するデータベースを保持することにより、オンラインショッピング検索サービスサーバーを管理するのにかかる時間的、経済的な損失を低減することをその目的とする。
【００１１】
さらに、本発明によるオンラインショッピング検索サービスの提供方法及びシステムは、商品情報を加工してデータベースを構築するのにかかる時間を画期的に短縮することにより、商品を購買しようとするユーザーに各入店モールが販売するあらゆる商品についての統合的な検索サービスを早い時間内に提供することをその目的とする。
【００１２】
さらにまた、本発明によるオンラインショッピング検索サービスの提供方法及びシステムは、登録された商品がユーザーに露出された回数またはユーザーから選択された回数に基づいて、商品登録者または販売者に対する課金を行うことにより、ショッピングモール運営者間に存在する入店効果に対する課金のバラツキを解消し、オンラインショッピング検索サービス運営者をして、入店効果の高いショッピングモール運営者に対する高い課金を行わせて、効率よい収益を上げるようにすることをその目的とする。
【課題を解決するための手段】
【００１３】
上記目的を達成し、上述した従来技術の問題点を解決するために、本発明の一実施の形態によるオンラインショッピング検索サービス提供方法は、商品登録者が登録した商品に関する識別情報または前記識別情報と紐付けられた商品情報についてのレコードを含む商品データベースを保持するステップ（前記識別情報は、前記商品登録者についての商品登録者識別子または前記商品に関する商品識別子を含む）と、前記商品データベースを参照して、販売者に前記商品識別子を選択するためのユーザーインタフェースを提供するステップと、前記販売者から前記商品識別子についての選択入力を受信するステップと、前記販売者についての販売者識別子、前記販売者が登録した商品販売ＷｅｂページのＵＲＬ情報及び前記販売者から転送された費用情報を前記選択された商品識別子と紐付けて前記商品データベースに書き込むステップと、ユーザーから検索クエリーを入力されるステップと、前記商品データベースを参照して、前記検索クエリーに対応する商品情報または前記商品情報と紐付けられた商品販売ＷｅｂページのＵＲＬ情報を検索するステップと、前記検索された商品情報と紐付けられた費用情報に基づいて、前記検索された商品情報または前記ＵＲＬ情報を並べ替えて検索結果一覧を生成するステップと、前記生成された検索結果一覧を前記ユーザーに提供するステップと、を含むことを特徴とする。
【００１４】
また、本発明の一実施の形態によるオンラインショッピング検索サービスの提供システムは、商品登録者識別子、商品識別子、または販売者識別子についてのフィールドを含むレコードを含む商品データベースを保持する第１のデータベース手段と、前記商品識別子と紐付けられた商品情報、前記販売者識別子と紐付けられた商品販売ＷｅｂページのＵＲＬ情報及び費用情報を含む商品情報データベースを保持する第２のデータベース手段と、前記商品識別子または商品情報を用いて、販売者に前記商品を選択するめのユーザーインタフェースを提供するするユーザーインタフェース提供手段と、前記販売者により選択された商品と紐付けられた商品識別子と紐付けて前記販売者についての販売者識別子を第１のデータベース手段に書き込み、前記販売者識別子と紐付けられた商品販売ＷｅｂページのＵＲＬ情報及び前記販売者から転送された費用情報を第２のデータベース手段に書き込むデータベース管理手段と、ユーザーから検索クエリーを入力される検索クエリー入力手段と、第２のデータベース手段を参照して、前記検索クエリーに対応する商品情報または前記商品情報と紐付けられた商品販売ＷｅｂページのＵＲＬ情報を検索する検索手段と、第２のデータベース手段を参照して、前記費用情報に基づいて前記検索された商品情報または前記ＵＲＬ情報を並べ替えて検索結果一覧を生成する検索結果一覧生成手段と、前記生成された検索結果一覧をユーザーの端末を通じて前記ユーザーに提供する検索結果一覧提供手段と、を含むことを特徴とする。
【発明を実施するための最良の形態】
【００１５】
以下、添付図面に基づき、本発明によるオンラインショッピング検索サービス提供方法及びシステムについて詳述する。
【００１６】
図１は、本発明の一実施の形態によるオンラインショッピング検索サービスの提供システムのネットワーク接続を示す図である。オンラインショッピング検索サービスの提供システム１００は、有無線通信網を通じて商品登録者の端末１１０、販売者のショッピングモールサーバー１２０、またはユーザーの端末１３０と接続される。
【００１７】
この明細書において用いられた「商品登録者」という用語は、所定の商品をオンラインショッピング検索サービスの提供システムに登録し、前記商品についての配送などの物流を担当する主体を意味し、「販売者」という用語は、前記オンラインショッピング検索サービスの提供システムに登録された商品を選択して所定のオンラインショッピングモールを通じて販売する主体を意味する。一つの主体が商品登録者または販売者として活動することができ、前記販売者は、前記オンラインショッピング検索サービスの提供システムを通じない他のルートにより確保した商品を販売することもできる。
【００１８】
図２は、本発明の一実施の形態によるオンラインショッピング検索サービスの提供方法を示すフローチャートである。この実施の形態によるオンラインショッピング検索サービスの提供方法は、所定のオンラインショッピング検索サービスの提供システムにより行われることができる。
【００１９】
ステップ２０１において、前記オンラインショッピング検索サービスの提供システムは、商品登録者が登録した商品に関する識別情報または前記識別情報と紐付けられた商品情報についてのレコードを含む商品データベースを保持する。
【００２０】
前記識別情報は、商品登録者が登録した商品に関する識別情報であって、前記商品登録者についての商品登録者識別子または前記商品に関する商品識別子を含む。また、前記商品データベースは、販売者諸別子と紐付けられたレコードをさらに含むことができる。
【００２１】
前記商品情報は前記商品と紐付けられた情報であって、前記商品に関する値段情報、前記商品が属するカテゴリ、前記商品の画像データなどに関する情報を含むことができる。前記商品情報の詳細については、後述する。
【００２２】
図３は、前記商品データベースに書き込まれるデータの一例を示す図である。図３Ａは識別情報についてのレコードを、図３Ｂは商品諸別子（または識別情報）と紐付けられた商品情報に関するレコードを、図３Ｃは商品諸別子（または識別情報）と紐付けられた販売者諸別子、商品販売ＷｅｂページのＵＲＬ情報、販売者から転送された費用情報についてのレコードをそれぞれ示している。図３に示す商品データベースの構造（フィールドまたはレコードの構造）は例示的なものであり、識別情報、商品登録者識別子、商品識別子、商品情報、販売者識別子、商品販売ＷｅｂページのＵＲＬ情報、または費用情報との関係を効率よく表現可能なデータベースの構築方式は種々に選択可能であることは、本発明が属する技術分野における当業者にとって自明である。
【００２３】
図４を参照して、商品データベースを保持するステップ２０１を詳細に説明する。
【００２４】
ステップ４０１において、前記オンラインショッピング検索サービスの提供システムは、各商品を特定するための商品登録原簿を商品別に商品登録原簿データベースに書き込んで保持する。前記商品登録原簿としては、電子文書化された従来の商品登録原簿が使用可能である。
【００２５】
商品登録原簿は、商品別に前記商品を特定するために用いられる。例えば、「カシオ」において製造されたデジタルカメラの中でも「Ｅｘｉｌｉｍ ＥＸ Ｍ１」、「Ｅｘｉｌｉｍ ＥＸ Ｍ２」、「Ｅｘｉｌｉｍ ＥＸ Ｚ３」、「Ｅｘｉｌｉｍ ＥＸ Ｚ４」などの各型番別にそれぞれ商品登録原簿が存在する。
【００２６】
下記表１は、「Ｅｘｉｌｉｍ ＥＸ Ｍ１」についての商品登録原簿の一例を示している。
【００２７】
【表１】
2007536615.tif 000003
ステップ４０１において、前記オンラインショッピング検索サービスの提供システムは、前記商品登録原簿データベースを参照して、商品登録者に商品登録原簿を選択し得る第１のユーザーインタフェースを提供する。ステップ４０２を行う前に、オンラインショッピング検索サービスの提供システムは、商品を登録しようとする者に商品登録者の加入手続きまたは認証手続きを行うようにしてもよい。前記加入手続きにおいて、商品登録者に商品登録者識別子が付与可能である。
【００２８】
例えば、前記第１のユーザーインタフェースとしては、図５に示すようなＷｅｂページが利用可能である。
【００２９】
前記オンラインショッピング検索サービスの提供システムは、図５Ａに示すように、Ｗｅｂページを商品登録者に提供する。商品登録者が「商品カテゴリ選択」ボタン（符号５０１）をマウスクリックする場合、前記オンラインショッピング検索サービスの提供システムは、図５Ｂにて示すように、カテゴリの種類を選択可能なＷｅｂページを前記商品登録者に提供することができる。前記オンラインショッピング検索サービスの提供システムは、前記商品登録者が所定のカテゴリをマウスクリックなどにより選択する場合、前記カテゴリに属する商品登録原簿または前記カテゴリの下位のカテゴリを提供することにより、前記商品登録者がカテゴリの検索方式により商品登録原簿を検索するようにできる。
【００３０】
また、前記オンラインショッピング検索サービスの提供システムは、図５Ａの符号５０２、５０３にて示すように、商品登録者に商品の型番または商品のメーカーを用いて商品登録原簿を検索させることもできる。また、図示略であるが、前記オンラインショッピング検索サービスの提供システムは、キーワード検索方式により商品登録原簿を検索するようにもできる。
【００３１】
上述のような検索方式により商品登録者から検索クエリーが入力された場合、前記オンラインショッピング検索サービスの提供システムは、前記検索クエリーに相当する商品登録原簿を検索し、検索された商品登録原簿についての検索結果一覧を生成する。前記生成された検索結果一覧は、符号５０４にて示すように、前記商品登録者に提供可能である。前記商品登録者は、「説明を見る」ボタン５０５をマウスクリックして商品登録原簿（または、前記商品登録原簿についての説明）を閲覧してから、「選択」ボタン５０６をマウスクリックして所望の商品登録原簿を選択することができる（ステップ４０３）。
【００３２】
なお、前記検索の結果、前記検索クエリーに対応する商品登録原簿が存在しない場合には、前記オンラインショッピング検索サービスの提供システムは、前記商品登録者に商品登録原簿を登録可能なユーザーインタフェースを提供することもできる。このとき、同じ商品についての商品登録原簿が複数存在したり、不要な商品登録原簿が生じたりすることを防ぐために、前記オンラインショッピング検索サービスの提供システムの管理者は、前記商品登録者から入力された商品登録原簿を登録する前に、前記商品登録原簿をレビューする過程を行うこともできる。
【００３３】
また、ステップ４０３において、前記商品登録者は自分が登録しようとする商品についての商品情報を入力する。
【００３４】
但し、表１に示すような商品登録原簿が選択された場合、前記商品登録者は、商品登録原簿に既に含まれている商品情報（例えば、「画素数」）はそのまま用いて追加の商品情報のみを入力することもできる。
【００３５】
前記商品情報には、前記商品の値段をはじめとして前記商品が属するカテゴリ、前記商品の画像データ、前記商品の真偽、前記商品についてのアフターサービスの可否、前記アフターサービスが無料であるかどうか、前記商品のサイズまたは色、前記商品の供給量、配送情報、前記商品の登録期間、前記商品を購入した購買者にプレゼントやポイントを提供するかどうか、前記商品を購買する場合、決済方法（クレジットカード決済の可否、割賦決済の可否など）に関する情報が含まれていてもよい。前記オンラインショッピング検索サービスの提供システムは、前記商品情報のうち前記商品が属するカテゴリ、前記商品の画像データ、前記商品のサイズまたは色などは、前記選択された商品登録原簿に含まれている情報をそのまま用いて前記商品登録者から入力されない場合もある。
【００３６】
ステップ４０４において、前記オンラインショッピング検索サービスの提供システムは、前記選択された商品登録原簿及び前記入力された商品情報を用いて商品諸別子を生成する。すなわち、前記オンラインショッピング検索サービスの提供システムは、前記選択された商品登録原簿及び前記入力された商品情報と紐付けられた商品諸別子を生成する。
【００３７】
ステップ４０５において、前記オンラインショッピング検索サービスの提供システムは，前記商品登録者を識別するための商品登録者または前記商品諸別子を含む識別情報を生成する。
【００３８】
ステップ４０６において、前記オンラインショッピング検索サービスの提供システムは、前記生成された識別情報及び前記商品情報を含むレコードを前記商品データベースに登録する。また、前記オンラインショッピング検索サービスの提供システムは、前記商品登録原簿と紐付けて前記商品登録原簿データベースに書き込まれている商品情報は、重複的に前記商品データベースに書き込むことなく、前記選択された商品登録原簿に含まれている商品情報を照会可能に前記選択された商品登録原簿との関係のみを前記商品データベースに書き込むこともできる。
【００３９】
図３Ａを参照すると、商品登録者「ｗｉｓｊｊａｎｇ」は、商品識別子「ａ１１１１２」、「ａ１１１１３」及び「ａ１１１１４」としてそれぞれ識別される３種の商品を登録している。商品識別子「ａ１１１１２」として識別される商品（以下、商品「ａ１１１１２」と称する。）は、商品「ａ１１１１３」とは異なる種類の商品であってもよい。例えば、商品「ａ１１１１２」は衣服であり、商品「ａ１１１１３」は冷蔵庫であってもよい。
【００４０】
また、商品「ａ１１１１２」と商品「ａ１１１１３」は、同種の商品、すなわち、同じ商品登録原簿と紐付けられた商品であり、商品情報のみが異なっていてもよい。例えば、商品「ａ１１１１２」は、デジタルカメラ「Ｅｘｉｌｉｍ ＥＸ Ｍ１」のうち値段は４６０,０００ウォンであり、有料にて配送される商品であり、商品「ａ１１１１３」は、デジタルカメラ「Ｅｘｉｌｉｍ ＥＸ Ｍ１」のうち無料で配送されるが、値段は４７０,０００ウォンであり、プレゼントを提供する商品であってもよい。
【００４１】
なお、この実施の形態においては、商品登録者識別子または商品識別子を含む識別情報を生成する過程が含まれているが、前記識別情報を生成することなく、商品登録者識別子または商品識別子をそれぞれ利用することもできる。
【００４２】
上記のような過程を通じて、図３Ａまたは図３Ｂに示すように、商品データベースを構築することができ、図３Ｃに示す前記販売者識別子、商品販売ＷｅｂページのＵＲＬ情報、及び費用情報についてのレコードの構築過程については、後述する。
【００４３】
ステップ２０２において、前記オンラインショッピング検索サービスの提供システムは、前記商品データベースを参照して販売者に商品（正確には、商品識別子）を選択可能な第２のユーザーインタフェースを提供する。ステップ２０２を行う前に、前記オンラインショッピング検索サービスの提供システムは、商品を選択しようとする者に販売者の加入手続きまたは認証手続きを行わせることもできる。前記加入手続きにおいて、販売者に販売者識別子が付与されることもある。
【００４４】
例えば、前記オンラインショッピング検索サービスの提供システムは、キーワード検索またはカテゴリ検索を用いて前記販売者が商品を選択するようにもできる。また、カテゴリ別に適切な検索クエリーを用いた検索を行わせることが好ましい。例えば、販売者がデジカメ（デジタルカメラ）というカテゴリを選択する場合、前記オンラインショッピング検索サービスの提供システムは、図６に示すように、検索クエリーを入力可能なＷｅｂページを前記販売者に提供することができる。
【００４５】
符号６０１にて示すように、前記オンラインショッピング検索サービスの提供システムは、カテゴリ検索方式により販売者が「デジタルカメラ」カテゴリを選択可能にし、前記「デジタルカメラ」カテゴリにおいては、所望のデジタルカメラを手軽に検索可能に、符号６０２にて示すように、検索クエリーを入力可能なユーザーインタフェースを前記販売者に提供することもできる。
【００４６】
符号６０２にて示すように、ユーザーインタフェースは、カテゴリ別に異なるように決定可能であり、例えば、「シュート」カテゴリにおいて、前記ユーザーインタフェースは、「ワンピース／ツーピース／ツリーピース」、「サイズ」、「値段」などの選択を入力可能なユーザーインタフェースが設定されてもよい。
【００４７】
前記販売者が「タイプ」ボタン（符号６０３）をマウスクリックした場合、前記オンラインショッピング検索サービスの提供システムは、図６Ｂに示すように、デジタルカメラのタイプを選択可能にする。前記販売者がマウスクリックなどにより「一般型」を選択した場合、前記商品データベースに書き込まれている商品情報のうち、一般型のデジタルカメラについての商品情報一覧が前記販売者に提供される。
【００４８】
前記販売者は、前記提供された商品情報一覧を確認し、商品情報と紐付けられた商品識別子を選択する（ステップ２０３）。具体的には、前記商品情報一覧から前記販売者が所定の商品情報を選択する場合、前記商品情報と紐付けられた商品識別子が選択可能に具現されてもよい。
【００４９】
図４を参照して説明したように、前記オンラインショッピング検索サービスの提供システムは、１）商品登録原簿別に商品を登録するようにし、２）カテゴリ別に定型化された商品情報を入力可能に前記第１のユーザーインタフェースを実現するため、前記商品データベースには、商品情報などの各データが体系的に書き込み可能である。
【００５０】
このため、前記オンラインショッピング検索サービスの提供システムは、前記商品データベースを参照してカテゴリ別に様々な検索クエリーを手軽に入力可能にする一方、正確な検索結果を販売者に提供することができる。
【００５１】
ステップ２０４において、前記オンラインショッピング検索サービスの提供システムは、前記販売者についての販売者識別子、前記販売者が登録した商品販売ＷｅｂページのＵＲＬ情報及び記販売者から転送された費用情報を、を前記選択された商品識別子と紐付けて前記商品データベースに書き込む。
【００５２】
ここで、前記ＵＲＬ情報は、前記販売者のショッピングモールサーバーから提供する商品販売ページのうち、前記商品識別子と紐付けられた商品を販売する商品販売ページのＵＲＬ情報である。
【００５３】
また、前記費用情報とは、前記販売者が前記オンラインショッピング検索サービスの提供システムに登録された商品を選択し、前記選択した商品を所定のオンラインショッピングモールを通じて販売可能に中継するオンラインショッピング検索サービスの運営者に支払った、または支払う予定である所定の利用料ないし手数料に関する情報を意味する。また、前記費用情報とは、前記販売者自分が運営するオンラインショッピングモールを広告するために前記オンラインショッピング検索サービスの運営者に支払った、または支払う予定である所定の広告費用を意味する。
【００５４】
本発明の一実施の形態によれば、前記オンラインショッピング検索サービスの提要システムは、前記販売者から前記選択された商品識別子と紐付けられた商品の販売期間に関する情報を受信するステップを行い、前記費用情報は前記販売期間に基づいて決定されることを特徴とするオンラインショッピング検索サービスの提供方法が提供される。前記費用情報は、１以上の販売者から受信された入札情報に基づいて決定されてもよい。この実施の形態によれば、前記販売者は、自分が選択した商品を販売する期間の長短によって費用を支払うことが可能になり、より公正で且つ合理的な課金システムを構築することができる。
【００５５】
このような過程を通じて、図３Ｃに示すように、レコードが生成可能になる。また、前記オンラインショッピング検索サービスの提供システムは、前記商品識別子及び前記販売者識別子と紐付けて前記商品販売ページのＵＲＬ情報、前記費用情報を書き込むことができる。
【００５６】
以下、前記商品データベースを参照してユーザーにオンライン検索サービスを提供する過程を説明する。前記オンラインショッピング検索サービスの提供システムは、ユーザーが検索語を入力するか、あるいは、カテゴリを選択して検索要請を行える、いわゆるキーワード検索またはカテゴリ検索方式のオンラインショッピング検索サービスを提供することができる。また、前記オンラインショッピング検索サービスの提供システムは、図６に示すように、ユーザーインタフェースをユーザーに提供してカテゴリ別に最適化された検索クエリーを入力するようにもできる。ステップ２０５において、前記ユーザーは、上記の方式またはそれ以外の方式を用いて前記オンラインショッピング検索サービスの提供システムに検索クエリーを入力する。
【００５７】
ステップ２０６において、前記オンラインショッピング検索サービスの提供システムは、前記商品データベースを参照して、前記検索クエリーに対応する商品情報または前記商品情報と紐付けられた商品販売ＷｅｂページのＵＲＬ情報を検索する。
【００５８】
ステップ２０７において、前記オンラインショッピング検索サービスの提供システムは、前記商品データベースを参照して、前記検索された商品情報と紐付けられた費用情報に基づいて、前記検索された商品情報または前記ＵＲＬ情報を並べ替えて検索結果一覧を生成する。本発明の一実施の形態によれば、前記オンラインショッピング検索サービスの提供システムは、ステップ２０７において、前記費用情報の昇順または降順にて前記検索された商品情報または前記ＵＲＬ情報を並べ替えることができる。
【００５９】
ステップ２０８において、前記オンラインショッピング検索サービスの提供システムは、前記検索された商品情報または前記ＵＲＬ情報を並べ替えて検索結果一覧を生成する。
【００６０】
このような構成によれば、ユーザーは、前記オンラインショッピング検索サービスの提供システムに接続して各オンラインショッピングモールにおいて販売される商品についての統合的なオンラインショッピング検索サービスを提供されることができる。
【００６１】
従来の技術においては、ユーザーにオンラインショッピング検索サービスの提供システムと連携されたオンラインショッピングモールにおいて販売される商品についてのオンラインショッピング検索サービスを提供する場合にも、一部の品目の商品に対してのみオンラインショッピング検索サービスを提供するような方式で運営されていた。
【００６２】
このような方式でオンラインショッピング検索サービスを提供するために、従来の技術におけるオンラインショッピング検索サービスの提供システムの管理者は、各ショッピングモールサーバーのデータベースから前記ショッピングモールサーバーが販売中の商品に関する情報を含む所定の商品情報データを提供される。しかしながら、各ショッピングモールサーバーが提供するデータベースの構造は、各オンラインショッピングモールごとに異なるため、前記管理者は、一々手作業で前記データベースを参照して前記オンラインショッピング検索サービスの提供システムからオンラインショッピング検索サービスを提供するために必要となる商品データベースを構築する過程を行うことを余儀なくされていた。
【００６３】
しかしながら、上述のように、本発明によれば、商品登録者が商品に関する値段情報を含む商品情報などを入力して商品を登録するステップ、販売者が登録された商品を選択するステップにおいて、前記商品データベースは、前記オンラインショッピング検索サービスの提供システムにおいて自動的に構築可能である。
【００６４】
すなわち、商品登録者が前記オンラインショッピング検索サービスの提供システムが提供するユーザーインタフェースを用いて商品を登録するため、各商品登録者と紐付けられたデータが同一またはほとんど類似の構造として前記商品データベースに書き込まれる点、このため、前記商品データベースが商品登録者、前記商品登録者が登録した商品に関する情報、前記商品を選択した販売者の関係を体系的に管理することができる点からは、本発明によるオンラインショッピング検索サービスの提供方法は、各ショッピングモールの全体についてのオンラインショッピング検索サービスを容易に提供することができる。
【００６５】
以下、本発明によりユーザーに商品についてのオンラインショッピング検索サービスを提供するに当たり、商品登録者または販売者に所定のプレミアムサービスをさらに提供可能な実施の形態について説明する。
【００６６】
本発明の一実施の形態によるオンラインショッピング検索サービスの提供方法によれば、ステップ２０６は、第２の商品情報または前記第２の商品情報と紐付けられた商品販売Ｗｅｂページの第２のＵＲＬ情報を検索するステップを含むことができる。
【００６７】
ステップ２０７は、前記検索された商品情報または前記ＵＲＬ情報を並べ替えて検索結果一覧を生成するステップを含み、ステップ２０８は、前記生成された検索結果一覧を前記ユーザーに提供されるＷｅｂページ上の所定の位置に露出させるように制御するステップを含むことができる。また、ステップ２０８は、前記生成された第２の検索結果一覧に所定のディスプレイ情報を表示するステップをさらに含むことができる。
【００６８】
この実施の形態によるオンラインショッピング検索サービスの提供方法によれば、基本的に、商品についてのオンラインショッピング検索サービスを提供するが、特定の基準を満足する商品情報及びＵＲＬ情報は、一般の検索結果一覧として区分された一覧の形でユーザーに提供可能である。例えば、ユーザーの端末に提供されるＷｅｂページ上に「推奨商品空間」、「推奨ショッピングモール空間」、または「スポンサーリンク」などの特別な空間を作り、前記特別な空間に前記第２の検索結果一覧を露出することができる。また、前記特別な空間に前記第２の検索結果一覧を露出すると共に、前記第２の検索結果一覧に含まれている項目に対して前記ディスプレイ情報として「ＡＤ」などの広告表示を行うか、あるいは、「推奨ショッピングモール」などの推奨表示を行うことも可能である。
【００６９】
一方、本発明の他の実施の形態によるオンラインショッピング検索サービスの提供方法によれば、ステップ２０６は、第２の商品情報または前記第２の商品情報と紐付けられた商品販売Ｗｅｂページの第２のＵＲＬ情報を検索するステップを含み、ステップ２０８は、生成された検索結果一覧に含まれている特定の項目に所定のディスプレイ情報を表示するステップ、及び前記所定のディスプレイ情報が表示された検索結果一覧を前記ユーザーに提供するステップを含む。ここで、前記特定の項目は、前記検索された第２の商品情報または第２のＵＲＬ情報と紐付けられる項目を意味する。
【００７０】
この実施の形態によるオンラインショッピング検索サービスの提供方法によれば、基本的に、商品についてのオンラインショッピング検索サービスを提供するが、特定の基準を満足する商品情報及びＵＲＬ情報は、検索結果一覧内において所定のディスプレイ情報を付加してユーザーに提供可能である。例えば、前記検索結果一覧内において前記ディスプレイ情報として「ＡＤ」などの広告表示を行うか、あるいは、「推奨ショッピングモール」などの推奨表示を行うことも可能である。
【００７１】
図７は、所定のプレミアムサービスを追加的に提供可能な前記実施の形態により、オンラインショッピング検索サービスが提供されたＷｅｂページの一例を示す図である。図７に示すように、所定のショッピングモールが提供する商品については、別途の一覧を生成してオンラインショッピング検索結果が提供されるＷｅｂページの上段に露出することができ、同時に、「ＡＤ」などの表示にてディスプレイ情報を付加することにより、他の一覧とは異なるように露出させることも可能である。また、一般の検索結果一覧内において「推奨ショッピングモール」などの表示によりディスプレイ形式を異ならしめることも可能である。図７に示すＷｅｂページは単なる例示的なものであり、商品情報などを効率よくディスプレイする方式は種々に選択可能であることは言うまでもない。
【００７２】
本発明の一実施の形態によれば、前記オンラインショッピング検索サービスの提供システムは、 前記商品情報または前記ＵＲＬ情報に関する第２のユーザーからの選択入力回数情報を含む第２のデータベースを保持するステップをさらに行い、前記第２の商品情報及び前記第２のＵＲＬ情報は、前記選択入力回数情報が所定の数値以上となる商品情報及びＵＲＬ情報であることを特徴とするオンラインショッピング検索サービスの提供方法が提供される。この実施の形態によれば、他のユーザーによりクリックなどの方法により選択された回数の多い商品情報またはＵＲＬ情報をユーザーに優先的に提供することが可能になり、オンラインショッピング検索サービスを通じてより人気の高い商品情報などを提供されたいユーザーの欲求を充足することができるという効果が得られる。
【００７３】
また、本発明の一実施の形態によれば、前記オンラインショッピング検索サービスの提供システムは、前記商品情報または前記ＵＲＬ情報の第２のユーザーに関する露出回数情報を含む第２のデータベースを保持するステップをさらに行い、前記第２の商品情報及び前記第２のＵＲＬ情報は、前記露出回数情報が所定の数値以上となる商品情報及びＵＲＬ情報であることを特徴とするオンラインショッピング検索サービスの提供方法が提供される。この実施の形態によれば、他のユーザーが入力した検索クエリーに対応する回数が多くて前記他のユーザーに露出された回数の多い商品情報またはＵＲＬ情報をユーザーに優先的に提供することが可能になり、オンラインショッピング検索サービスを通じてより人気の高い商品情報などを提供されたいユーザーの欲求を充足することができるという効果が得られる。
【００７４】
また、本発明の一実施の形態によれば、前記オンラインショッピング検索サービスの提供システムは、前記商品情報または前記ＵＲＬ情報に関する第２のユーザーからの選択入力回数情報及び前記商品情報または前記ＵＲＬ情報の前記第２のユーザーに関する露出回数情報を含む第２のデータベースを保持するステップをさらに行い、前記第２の商品情報及び前記第２のＵＲＬ情報は、前記露出回数情報に関する前記選択入力回数情報が所定の数値以上となる商品情報及びＵＲＬ情報であることを特徴とするオンラインショッピング検索サービスの提供方法が提供される。この実施の形態によれば、他のユーザーに露出された回数に比べてクリックなどにより選択された回数が多い商品情報またはＵＲＬ情報をユーザーに優先的に提供することが可能になり、大衆により一層高い頻度数にて選択される商品情報などを提供されたいユーザーの欲求を充足することができるという効果が得られる。
【００７５】
また、本発明の一実施の形態によれば、 前記オンラインショッピング検索サービスの提供システムは、前記商品情報または前記ＵＲＬ情報に関する第２のユーザーからの選択入力回数情報及び前記商品情報と紐付けられた商品に関する商品の販売数量情報を含む第２のデータベースを保持するステップをさらに行い、前記第２の商品情報及び前記第２のＵＲＬ情報は、前記選択入力回数情報対比の前記商品販売数量情報が所定の数値以上となる商品情報及びＵＲＬ情報であることを特徴とするオンラインショッピング検索サービスの提供方法が提供される。商品情報やＵＲＬ情報が選択された回数は多いが、実質的な購買手続きが行われない場合があるため、この実施の形態によれば、大衆により高い頻度数にて購買される商品と紐付けられた商品情報などを優先的に提供されたいユーザーの欲求を充足することができるという効果が得られる。
【００７６】
また、本発明の一実施の形態によれば、前記第２の商品情報及び前記第２のＵＲＬ情報は、第２の販売者が販売する商品と紐付けられ、前記第２の販売者は、所定の基準額以上の費用情報を転送した販売者であることを特徴とするオンラインショッピング検索サービスの提供方法が提供される。前記基準額数は、サービス運営者により前もって決定されることができる。この実施の形態によれば、商品情報などがユーザーに優先的に提供されることを希望する販売者がより高い額数の費用をサービス運営者に支払うことになり、前記サービス運営者がサービス提供を通じて得られる収益を極大化させることが可能になるという効果が得られる。
【００７７】
本発明のさらに他の実施の形態によれば、商品情報などがユーザーにより選択された回数、商品情報などがユーザーに露出された回数、または商品の販売数量によりオンラインショッピング検索結果を並べ替えて提供するオンラインショッピング検索サービスの提供方法が提供されるが、以下、この実施の形態について説明する。
【００７８】
図８は、本発明の一実施の形態によるオンラインショッピング検索サービスの提供方法を示すフローチャートである。この実施の形態によるオンラインショッピング検索サービスの提供方法は、所定のオンラインショッピング検索サービスの提供システムにより行われる。
【００７９】
前記オンラインショッピング検索サービスの提供システムは、ステップ８０１乃至ステップ８０９を行うが、ステップ８０１乃至ステップ８０３、ステップ８０６及びステップ８０７、ステップ８０９は、それぞれ図２におけるステップ２０１乃至ステップ２０３、ステレツプ２０５及びステップ２０６、ステップ２０８に対応するものであるので、詳細な説明は省略し、その他のステップについて説明する。
【００８０】
ステップ８０４において、前記オンラインショッピング検索サービスの提供システムは、前記販売者についての販売者識別子または前記販売者が登録した商品販売ＷｅｂページのＵＲＬ情報を前記選択された商品識別子と紐付けて前記商品データベースに書き込む。
【００８１】
ステップ８０５において、前記オンラインショッピング検索サービスの提供システムは、 前記商品情報または前記商品情報と紐付けられた商品販売ＷｅｂページのＵＲＬ情報に関する第１のユーザーからの選択入力回数情報を含む第２のデータベースを保持する。
【００８２】
ステップ８０８において、前記オンラインショッピング検索サービスの提供システムは、 前記第２のデータベースを参照して、前記選択入力回数情報に基づいて前記検索された商品情報または前記ＵＲＬ情報を並べ替えて検索結果一覧を生成する。
【００８３】
上記のようなステップを行うことにより、前記オンラインショッピング検索サービスの提供システムは、第２のユーザーに選択入力回数情報の昇順または降順などにより並べ替えられた商品情報などを提供することが可能になり、選択回数の高い商品情報などを優先的に提供されたい前記第２のユーザーの欲求を充足することができる。
【００８４】
本発明の一実施の形態によれば、前記選択入力回数情報は、所定の期間中に前記第１のユーザーから前記商品情報または前記商品情報と紐付けられた商品販売ＷｅｂページのＵＲＬ情報が選択入力された回数を計数して生成され、ステップ８０８において、前記オンラインショッピング検索サービスの提供システムは、前記第２のデータベースを参照して、前記検索された商品情報または前記ＵＲＬ情報のうち前記選択入力回数情報が所定の数値以上となる商品情報またはＵＲＬ情報のみを並べ替えて前記検索結果一覧を生成することを特徴とするオンラインショッピング検索サービスの提供方法が提供される。この実施の形態によれば、一定の期間中の選択回数が所定の数値に達しない商品情報などは検索結果一覧に含めないことにより、自動的にオンラインショッピング検索結果の一覧数を調節することが可能になる。これにより、ユーザーは、適切な数の検索一覧のみを提供されて所望の商品情報などを見つけるのにかかる時間を短縮することができるという効果が得られる。
【００８５】
また、本発明の一実施の形態によれば、前記オンラインショッピング検索サービスの提供システムは、前記第２のデータベースを参照して、前記選択入力回数情報に基づいて前記商品登録者または前記販売者に関する課金情報を生成するステップをさらに含むことを特徴とするオンラインショッピング検索サービスの提供方法が提供される。この実施の形態によれば、自分が登録した、または販売する商品がユーザーからどれほど関心を受けているかによって、商品登録者または販売者に課金を行うことができ、より公正な課金システムが構築可能になる。
【００８６】
本発明のさらに他の実施の形態によれば、商品情報などがユーザーに露出された回数によって前記商品情報などを並べ替えて提供するオンラインショッピング検索サービスの提供方法が提供される。
【００８７】
この実施の形態によるオンラインショッピング検索サービスの提供システムは、ステップ８０５において、前記商品情報または前記商品情報と紐付けられた商品販売ＷｅｂページのＵＲＬ情報の第１のユーザーに関する露出回数情報を含む第２のデータベースを保持し、ステップ８０８において、前記第２のデータベースを参照して、前記露出回数情報に基づいて前記検索された商品情報または前記ＵＲＬ情報を並べ替えて検索結果一覧を生成する。
【００８８】
上記のようなステップを行うことにより、前記オンラインショッピング検索サービスの提供システムは、第２のユーザーに露出回数情報の昇順または降順などにより並べ替えられた商品情報などを提供することが可能になり、露出回数の高い商品情報などを優先的に提供されたい前記第２のユーザーの欲求を充足することができる。
【００８９】
本発明の一実施の形態によれば、前記露出回数情報は、所定の期間中に前記第１のユーザーに前記商品情報または前記商品情報と紐付けられた商品販売ＷｅｂページのＵＲＬ情報が露出された回数を計数して生成され、ステップ８０８において、前記オンラインショッピング検索サービスの提供システムは、前記第２のデータベースを参照して、前記検索された商品情報または前記ＵＲＬ情報のうち前記露出回数情報が所定の数値以上となる商品情報またはＵＲＬ情報のみを並べ替えて前記検索結果一覧を生成することを特徴とするオンラインショッピング検索サービスの提供方法が提供される。この実施の形態によれば、一定の期間中の露出回数が所定の数値に達しない商品情報などは検索結果一覧に含めないことにより、自動的にオンラインショッピング検索結果の一覧数を調節することが可能になる。これにより、ユーザーは適切な数の検索一覧のみを提供されて所望の商品情報などを見つけるのにかかる時間を短縮することができるという効果が得られる。
【００９０】
また、本発明の一実施の形態によれば、前記オンラインショッピング検索サービスの提供システムは、前記第２のデータベースを参照して、前記露出回数情報に基づいて前記商品登録者または前記販売者に関する課金情報を生成するステップをさらに含むことを特徴とするオンラインショッピング検索サービスの提供方法が提供される。この実施の形態によれば、自分が登録した、または販売する商品がユーザーからどれほど関心を受けているかによって、商品登録者または販売者に課金を行うことができ、より公正な課金システムが構築可能になる。
【００９１】
本発明のさらに他の実施の形態によれば、商品の販売数量によりオンラインショッピング検索結果を並べ替えて提供するオンラインショッピング検索サービスの提供方法が提供される。
【００９２】
この実施の形態によるオンラインショッピング検索サービスの提供システムは、ステップ８０５において、前記販売者識別子または前記販売者が登録した商品販売ＷｅｂページのＵＲＬ情報と紐付けて前記商品に関する商品の販売数量情報を含む第２のデータベースを保持し、ステップ８０８において、前記第２のデータベースを参照して、前記商品の販売数量情報に基づいて前記検索された商品情報または前記ＵＲＬ情報を並べ替えて検索結果一覧を生成する。
【００９３】
上記のようなステップを行うことにより、前記オンラインショッピング検索サービスの提供システムは、ユーザーに商品の販売数量情報の昇順または降順などにより並べ替えてられた商品情報などを提供することが可能になり、商品の販売数量の高い商品と紐付けられた商品情報などを優先的に提供されたい前記ユーザーの欲求を充足することができる。
【００９４】
本発明の一実施の形態によれば、前記オンラインショッピング検索サービスの提供システムは、販売者のショッピングモールサイトと紐付けて商品販売Ｗｅｂページを生成し、これを通じて購買がなされた場合、決済情報を受信して前記商品の販売数量情報を生成可能なオンラインショッピング検索サービスの提供方法が提供される。
【００９５】
図９は、この実施の形態により商品販売Ｗｅｂページを生成し、これを通じて決済が行われる過程を示すフローチャートである。ステップ９０１において、前記オンラインショッピング検索サービスの提供システムは、前記販売者のショッピングモールサイトを提供するショッピングモールサーバーに選択された商品識別子と紐付けられた識別情報及び商品情報を転送する。
【００９６】
ステップ９０２において、前記オンラインショッピング検索サービスの提供システムは、前記転送された識別情報及び商品情報を用いて、前記選択された商品識別子と紐付けられた商品についての商品販売Ｗｅｂページを前記ショッピングモールサイトと紐付けて生成する。この場合、前記識別情報及び前記商品情報が定型化されているため、前記識別情報及び前記商品情報を用いて前記商品販売Ｗｅｂページを自動的に生成するプログラムを使用することができる。また、前記商品情報は、前記商品販売Ｗｅｂページにおいてディスプレイ可能であり、前記ショッピングモールサーバーは、前記商品販売Ｗｅｂページと紐付けて前記識別情報を保存することができる。
【００９７】
前記商品データベースに書き込まれている識別情報または商品情報などをそのまま用いて前記商品販売Ｗｅｂページを生成するこの実施の形態によれば、前記ショッピングモールサーバー側のデータベースもまた前記商品データベースの構造と同一または類似の構造によりデータが書き込まれる点において、この実施の形態によるオンラインショッピング検索サービスの提供方法は、各ショッピングモールの全体についてのオンラインショッピング検索サービスを容易に提供することができる。
【００９８】
ステップ９０３は、ステップ８０４に対応するものであり、前記オンラインショッピング検索サービスの提供システムは、前記生成された商品販売ＷｅｂページのＵＲＬ情報を商品データベースに書き込む。
【００９９】
ステップ９０４において、前記商品販売Ｗｅｂページに接続した購買者により前記商品についての購買要請及び商品についての決済がなされた場合、ステップ９０５において、前記ショッピングモールサーバーは、前記決済に関する決済情報を前記オンラインショッピング検索サービスの提供システムに転送する。この場合、前記決済情報は、前記商品に関する識別情報及び前記商品の購買数に関する購買情報を含む。また、前記決済情報は、前記商品の購買代金に関する情報、前記商品を配送すべき配送者に関する情報などを含むこともできる。
【０１００】
この場合、前記オンラインショッピング検索サービスの提供システムは、前記転送された決済情報に含まれている識別情報を用いて、前記商品販売Ｗｅｂページにおいて販売される商品を登録した商品登録者を判別することができる。また、前記オンラインショッピング検索サービスの提供システムは、前記商品に関する識別情報が含まれている決済情報が転送された回数、前記決済情報に含まれている商品の購買数に関する購買情報を用いて、前記商品がどれほど販売されているかに関する商品の販売数量情報を生成することができる。
【０１０１】
この実施の形態によれば、前記オンラインショッピング検索サービスの提供システムは、前記商品の販売数量情報に基づいて商品販売順位情報を生成し、これを所定のデータベースに保存することができる。前記オンラインショッピング検索サービスの提供システムは、前記商品販売順位情報に基づいて、検索された商品情報またはＵＲＬ情報を並べ替えて検索結果一覧を生成し、これをユーザーに提供することができる。この場合、前記オンラインショッピング検索サービスの提供システムは、前記商品販売順位情報の昇順または降順により前記検索された商品情報または前記ＵＲＬ情報を並べ替えることが可能である。この実施の形態によれば、販売数量の多い人気商品と紐付けられた商品情報などをユーザーに優先的に提供することにより、ユーザーがさらに手軽に商品を選択、購買可能なオンラインショッピング検索サービスの提供方法を提供することができる。
【０１０２】
また、本発明の実施の形態は、種々のコンピューターにて具現される動作を行うためのプログラム指令を含むコンピュータにて読み取り可能な媒体を含む。前記コンピュータにて読み取り可能な媒体に書き込まれるプログラムは、プログラム指令、データファイル、データ構造などを単独にて、または組み合わせて含むことができる。前記媒体は、本発明のために特別に設計されて構成されたものであってもよく、コンピュータのソフトウェアの当業者にとって公知の使用可能なものであってもよい。
【０１０３】
以下、本発明のさらに他の実施の形態によるオンラインショッピング検索サービスの提供システムについて説明する。図１０は、この実施の形態によるオンラインショッピング検索サービスの提供システムを示すブロック図である。
【０１０４】
この実施の形態によるオンラインショッピング検索サービスの提供システムは、 第１のデータベース手段１００１、第２のデータベース手段１００２、ユーザーインタフェース提供手段１００３、データベース管理手段１００４、検索クエリー入力手段１００５、検索手段１００６、検索結果一覧生成手段１００７、及び検索結果一覧提供手段１００８を含む。
【０１０５】
第１のデータベース手段１００１は、商品登録者識別子、商品識別子、または販売者識別子についてのフィールドを含むレコードを含む商品データベースを保持する。
【０１０６】
第２のデータベース手段１００２は、前記商品識別子と紐付けられた商品情報、前記販売者識別子と紐付けられた商品販売ＷｅｂページのＵＲＬ情報及び費用情報を含む商品情報データベースを保持する。
【０１０７】
前記商品登録者識別子は、前記商品情報データベースに商品情報を入力して商品を登録する商品登録者を識別するために用いられ、前記商品識別子は、前記商品登録者が入力した商品情報と紐付けられた商品を識別するために用いられ、前記販売者識別子は、前記商品情報データベースに登録された商品情報を用いて選択した商品を販売する販売者を識別するために用いられる。
【０１０８】
また、前記費用情報とは、前記販売者が前記オンラインショッピング検索サービスの提供システムに登録された商品を選択し、前記選択した商品を所定のオンラインショッピングモールを通じて販売可能に中継するオンラインショッピング検索サービスの運営者に支払った、または支払う予定である所定の利用料ないし手数料に関する情報を意味する。また、前記費用情報とは、前記販売者自分が運営するオンラインショッピングモールを広告するために前記オンラインショッピング検索サービスの運営者に支払った、または支払う予定である所定の広告費用を意味する。
【０１０９】
販売者は、ユーザーインタフェース提供手段１００３が提供するユーザーインタフェースを用いて、前記商品情報データベースに書き込まれている商品情報を照会することができる。ユーザーインタフェース提供手段１００３は、前記販売者が前記商品情報を検索するためのユーザーインタフェースを提供することもでき、このとき、オンラインショッピング検索サービスの提供システム１０００は、検索エンジン（図示せず）をさらに備える。前記実施の形態において述べたように、オンラインショッピング検索サービスの提供システム１０００は、キーワード検索方式、カテゴリ検索方式などの種々の検索方式の検索サービスを提供することができ、このとき、オンラインショッピング検索サービスの提供システム１０００は、検索エンジン（図示せず）をさらに備えることができる。
【０１１０】
前記販売者は、前記ユーザーインタフェースを用いて照会した商品情報を参照して、所定の条件下で販売される所定の商品を選択する。
【０１１１】
データベース管理手段１００４は、前記販売者により選択された商品と紐付けられた商品識別子と紐付けて前記販売者についての販売者識別子を第１のデータベース手段１００１に書き込み、前記販売者識別子と紐付けられた商品販売ＷｅｂページのＵＲＬ情報及び前記販売者から転送された費用情報を第２のデータベース手段１００２に書き込む。
【０１１２】
本発明の一実施の形態によれば、オンラインショッピング検索サービスの提供システム１０００は、前記選択された商品情報、前記商品情報と紐付けらた商品識別子、商品登録者識別子を前記販売者のショッピングモール（図示せず）に転送することができ、前記ショッピングモールサーバは、前記商品情報を用いて、前記商品情報と紐付けられた商品を販売するための商品販売Ｗｅｂページを生成することができる。この場合、前記商品識別子、または前記商品登録者識別子は、前記商品販売Ｗｅｂページと紐付けてショッピングモールサーバー側に保存される。
【０１１３】
検索クエリー入力手段１００５は、ユーザーの端末１０１０を通じてユーザーから検索クエリーを入力され、検索手段１００６は、第２のデータベース手段１００２を参照して前記検索クエリーに対応する商品情報または前記商品情報と紐付けられた商品販売ＷｅｂページのＵＲＬ情報を検索する。
【０１１４】
検索結果一覧生成手段１００７は、第２のデータベース手段１００２を参照して、前記費用情報に基づいて前記検索された商品情報または前記ＵＲＬ情報を並べ替えて検索結果一覧を生成し、検索結果一覧提供手段１００８は、前記生成された検索結果一覧をユーザーの端末１０１０を通じて前記ユーザーに提供する。
【０１１５】
図１１は、本発明によるオンラインショッピング検索サービスの提供方法を行う上で採用可能な汎用のコンピュータ装置の内部ブロック図である。
【０１１６】
コンピュータ装置１１００は、ランダムアクセスメモリ（ＲＡＭ）１１２０と、読み取り専用メモリ（ＲＯＭ）１１３０を備える主記憶装置と接続される１以上のプロセッサー１１１０を備える。プロセッサー１１１０は、中央処理装置（ＣＰＵ）とも呼ばれる。この技術分野において周知のように、ＲＯＭ１１３０は、データと指令を単方向にＣＰＵに転送する役割を果たし、ＲＡＭ１１２０は、通常、データと指令を両方向に転送するのに用いられる。ＲＡＭ１１２０及びＲＯＭ１１３０は、コンピュータにより読み取り可能な媒体のいかなる適切な形態を含むことができる。大容量記憶装置１１４０は、両方向性によりプロセッサー１１１０と接続されてさらなるデータ保存能力を提供し、上記のコンピュータにて読み取り可能な記録媒体のうちいずれか１種であってもよい。大容量記憶装置１１４０は、プログラム、データなどを保存するのに用いられ、通常、主記憶装置よりも低速なハードディスクなどの補助記憶装置である。ＣＤ−ＲＯＭ１１６０などの特定の大容量記憶装置が使用可能である。プロセッサー１１１０は、ビデオモニター、トラックボール、マウス、キーボード、マイクロホン、タッチスクリーン型ディスプレイ、カードリーダー、磁気または紙テープリーダー、音声または筆記認識機、ジョイスチック、またはその他の公知のコンピュータ入出力装置などの１以上の入出力インタフェース１１５０と接続される。最後に、プロセッサー１１１０は、ネットワークインタフェース１１７０を通じて有線または無線通信ネットワークに接続可能である。このようなネットワーク接続を通じて上記の方法の手続きを行うことができる。上記の装置及びツールは、コンピュータのハードウェア及びソフトウェアの技術分野における当業者にとって既に公知である。
【０１１７】
上記のハードウェア装置は、本発明の動作を行うために、１以上のソフトウェアモジュールとして作動するように構成可能である。
【０１１８】
以上、実施の形態を挙げて本発明によるオンラインショッピング検索サービスの提供方法及びシステムについて説明したが、これは単なる例示的なものに過ぎず、本発明はこれらに限定されるものではない。なお、特許請求の範囲において請求するように、本発明の要旨を逸脱することなく、この技術分野における通常の知識を持った者であれば誰でも種々の変更実施が行える。
【０１１９】
よって、本発明の範囲は、説明された実施の形態に限定されてはならず、特許請求の範囲だけではなく、特許請求の範囲と均等なものによって定まるべきである。
【産業上の利用可能性】
【０１２０】
本発明によるオンラインショッピング検索サービス提供方法及びシステムによれば、商品に関する情報を体系的に入力可能なユーザーインタフェースを商品登録者に提供して商品登録過程を行わせることにより、商品データベースまたは商品情報データベースを自動的、体系的、リアルタイムにて構築し、販売者が商品を選択した場合、前記販売者または前記商品と紐付けられた情報を前記商品データベースまたは前記商品情報データベースに自動的、体系的、リアルタイムにて反映可能にすることにより、オンラインショッピングモール内のあらゆる種類の商品に対して体系的で且つ詳細な検索サービスを提供することができる効果を得ることができる。
【０１２１】
また、本発明によるオンラインショッピング検索サービスの提供方法及びシステムによれば、各オンラインショッピングモールにおいて販売される商品に関する様々な情報を一元化されたディレクトリ体系を用いて保存して管理するデータベースを保持することにより、オンラインショッピング検索サービスサーバーを管理するのにかかる時間的、経済的な損失を低減することができる。
【０１２２】
さらに、本発明によるオンラインショッピング検索サービスの提供方法及びシステムによれば、商品情報を加工してデータベースを構築するのにかかる時間を画期的に短縮することにより、商品を購買しようとするユーザーに各入店モールが販売するあらゆる商品についての統合的な検索サービスを早い時間内に提供することができる効果を得ることができる。
【０１２３】
また、本発明によるオンラインショッピング検索サービスの提供方法及びシステムによれば、登録された商品がユーザーに露出された回数またはユーザーから選択された回数に基づいて、商品登録者または販売者に対する課金を行うことにより、ショッピングモール運営者間に存在する入店効果に対する課金のバラツキを解消し、オンラインショッピング検索サービス運営者をして、入店効果の高いショッピングモール運営者に対する高い課金を行わせて、効率よい収益を上げるようにする効果を得ることができる。
【図面の簡単な説明】
【０１２４】
【図１】本発明の一実施の形態において、オンラインショッピング検索サービスの提供システムのネットワーク接続を示す図である。
【図２】本発明の一実施の形態によるオンラインショッピング検索サービスの提供方法を示すフローチャートである。
【図３Ａ】本発明の一実施の形態において、商品データベースに書き込まれるデータの一例を示す図である。
【図３Ｂ】本発明の一実施の形態において、商品データベースに書き込まれるデータの一例を示す図である。
【図３Ｃ】本発明の一実施の形態において、商品データベースに書き込まれるデータの一例を示す図である。
【図４】本発明の一実施の形態において、商品データベースを保持する過程を説明するためのフローチャートである。
【図５】本発明の一実施の形態において、ユーザーインタフェースの一例を示す図である。
【図６】本発明の一実施の形態において、販売者が商品を検索するための検索クエリーを入力できるように提供されるユーザーインタフェースの一例を示す図である。
【図７】本発明の一実施の形態において、オンラインショッピング検索サービスが提供されたＷｅｂページの一例を示す図である。
【図８】本発明のさらに他の実施の形態によるオンラインショッピング検索サービスの提供方法を示すフローチャートである。
【図９】本発明の一実施の形態において、商品販売Ｗｅｂページを生成し、これを通じて決済が行われる過程を示すフローチャートである。
【図１０】本発明のさらに他の実施の形態によるオンラインショッピング検索サービスの提供システムを示すブロック図である。
【図１１】本発明によるオンラインショッピング検索サービスの提供方法を行う上で採用可能な汎用コンピュータ装置の内部ブロック図である。
【図１】
2007536615.tif 000004
【図２】
2007536615.tif 000005
【図３Ａ】
2007536615.tif 000006
【図３Ｂ】
2007536615.tif 000007
【図３Ｃ】
2007536615.tif 000008
【図４】
2007536615.tif 000009
【図５】
2007536615.tif 000010
【図６】
2007536615.tif 000011
【図７】
2007536615.tif 000012
【図８】
2007536615.tif 000013
【図９】
2007536615.tif 000014
【図１０】
2007536615.tif 000015
【図１１】
2007536615.tif 000016
【国際調査報告】
2007536615.tif 000017
2007536615.tif 000018